(57)【要約】【課題】  一様に本焼きされた陶磁器片（メダル素材）の略全面に金がコーティングされた健康増進用金彩陶磁器メダル及びその製造方法、該製造方法に使用する治具を提供する。【解決手段】  小孔２を有する金彩陶磁器メダル１を、次のようにして製造する。粘土をこねて、メダル形状の陶磁器片を作る。これを半乾燥させ、その１個所に小孔を貫通形成する。次いで、これを乾燥させて磨き、窯に入れて素焼きする。素焼きした陶磁器片の小孔にろう引きし、小孔を除く部分の全面に釉薬をかけ、先が尖ったセラミック製棒の先端部を小孔２に通し、陶磁器片を棒の先端部に刺して支持させた状態で、棒をセラミック製基台に立てて保持させ、この基台を窯に入れて、陶磁器片を本焼きする。本焼きした陶磁器片の小孔を除く部分の全面に金液を塗り、陶磁器片を再び棒の先端部に刺して支持させた状態で、基台を窯に入れて、陶磁器片を低温で焼き、焼き上がった陶磁器片を磨く。【選択図】      図１
2008110109.tif 000002
【特許請求の範囲】
【請求項１】
メダル形状の陶磁器片の略全面に、金がコーティングされていることを特徴とする健康増進用金彩陶磁器メダル。
【請求項２】
メダル形状の陶磁器片の一面に、金がコーティングされていることを特徴とする健康増進用金彩陶磁器メダル。
【請求項３】
請求項１に記載の健康増進用金彩陶磁器メダルの製造方法であって、次の（１）〜（１１）の工程を順次実行することを特徴とする健康増進用金彩陶磁器メダルの製造方法。
（１）粘土をこねて、伸ばして板状にして、メダル形状の陶磁器片を作る。
（２）前記陶磁器片を半乾燥させて、その陶磁器片の１個所に小孔を貫通形成する。
（３）前記陶磁器片を乾燥させて、サンドペーパーで磨く。
（４）前記陶磁器片を窯に入れて、素焼きする。
（５）素焼きした前記陶磁器片の前記小孔にろう引きする。
（６）前記陶磁器片の前記小孔を除く部分の全面に釉薬をかける。
（７）先が尖ったセラミック製の棒の先端部を前記小孔に通し、前記陶磁器片を前記棒の先端部に刺して支持させた状態で、前記棒をセラミック製の基台に立てて保持させる。
（８）前記基台を窯に入れて、前記陶磁器片を本焼きする。
（９）本焼きした前記陶磁器片を前記棒の先端部から外して、前記陶磁器片の前記小孔を除く部分の全面に金液を塗る。
（１０）前記陶磁器片を再び前記棒の先端部に刺して支持させた状態で、前記基台を窯に入れて、前記陶磁器片を低温（約７５０℃）で焼く。
（１１）焼き上がった前記陶磁器片を磨く。
【請求項４】
前記棒は、両端側ともに先が尖って細長く形成されており、
前記基台は、前記棒の先が尖った部分を抜き差し自在に受け入れることができる孔を有している
ことを特徴とする請求項３に記載の健康増進用金彩陶磁器メダルの製造方法。
【請求項５】
メダル形状の陶磁器片の１個所に小孔が貫通形成された請求項１に記載の健康増進用金彩陶磁器メダルの製造方法に使用する治具であって、
セラミック製の棒と、セラミック製の基台との組合せから成り、
前記棒は、両端側ともに先が尖って細長く形成されており、
前記基台は、前記棒の先が尖った部分を抜き差し自在に受け入れることができる孔を有し、
前記棒の一端側の先端部を前記小孔に通し、前記陶磁器片を前記棒の一端側の先端部に刺して支持させた状態で、前記棒の他端側の先端部を前記基台の前記孔に差して前記棒を前記基台に保持させることができるようにされている
ことを特徴とする健康増進用金彩陶磁器メダルの製造方法に使用する治具。
【請求項６】
請求項２に記載の健康増進用金彩陶磁器メダルの製造方法であって、次の（１）〜（１０）の工程を順次実行することを特徴とする健康増進用金彩陶磁器メダルの製造方法。
（１）粘土をこねて、板状にして、メダル形状の陶磁器片を作る。
（２）前記陶磁器片を半乾燥させて、その陶磁器片の１個所に小孔を貫通形成する。
（３）前記陶磁器片を乾燥させて、サンドペーパーで磨く。
（４）前記陶磁器片を窯に入れて、素焼きする。
（５）素焼きした前記陶磁器片の片面にろう引きする。
（６）前記陶磁器片の残りの片面に釉薬をかける。
（７）前記陶磁器片を窯に入れて、本焼きする。
（８）本焼きした前記陶磁器片の前記残りの片面に金液を塗る。
（９）前記陶磁器片を再び窯に入れて、低温（約７５０℃）で焼く。
（１０）焼き上がった前記陶磁器片を磨く。
【発明の詳細な説明】
【技術分野】
【０００１】
本願の発明は、健康増進用金彩陶磁器メダル及びその製造方法、該製造方法に使用する治具に関し、特に安価な陶磁器材料を使用して、その本焼きした陶磁器片（メダル素材）の表面に金をコーティングし、これを身体に装着あるいは患部に当てがうことにより、金のマイナスイオン効果で健康増進、治療・治癒の促進を図った安価な健康増進用金彩陶磁器メダル及びその製造方法、該製造方法に使用する治具に関する。
【背景技術】
【０００２】
最近の健康ブームに乗って、金の健康に及ぼす効果は、かなり詳しく知られるようになってきており、人体へのプラス要因として、金のマイナスイオン効果が指摘されている。このような金のマイナスイオン効果を利用した健康増進用製品は、大きく３つに分けられる。１つは、金及び金メッキ製品による健康グッズであり、これらは、宝飾品もしくは装飾品として身体に装着して用いられるか、患部に当てがって用いられる。もう１つは、金粉を混入させた化粧水、その他の化粧品等の化粧関係の製品であり、さらにもう１つは、金粉を混入させた飲料水、食料品等の飲食関係の製品である。しかしながら、これらの製品は、一般に高価であり、本願発明に係る金彩陶磁器メダルのような、安価な陶磁器材料を用いた金彩製品による健康グッズは、現在のところ、皆無の状態である。
【特許文献１】特開２００５−７３９３８号公報
【０００３】
そこで、陶磁器材料を使用し、その本焼きした陶磁器片（メダル素材）に金を上塗りして焼き付けて（すなわち、コーティングして）健康グッズを得ることが考えられる。しかし、このようにして金彩陶磁器メダルを得ようとした場合、メダル素材の全面に釉薬をかけて、メダル素材の全面を一様に本焼きして仕上げることは、従来の窯業技術では不可能であった。その理由は、釉薬をかけたメダル素材を窯に入れて本焼きしようとすると、メダル素材が窯の載置台の載置面に接する側の面にどうしても本焼きできない部分が残り、メダル素材を全面に亘って一様に本焼きすることができないからである。
【０００４】
このように、全面に亘って一様に本焼きすることができなかったメダル素材に金液を塗って、低温（約７５０℃）で焼いて、最終焼上げしようとしても、矢張り、メダル素材が載置台の載置面に接する側の面に、金液が塗られた状態で焼き上げることができない面が残り、メダル素材を、その全面に亘って金液が塗られた状態で一様に焼き上げることができない。このような、メダル素材の表面の一部に本焼きができなかった部分や金コーティングができなかった部分が残ったメダルは、製品として全く使用できないという訳ではないが、健康増進効果、治療・治癒効果が半減したものとなる。
【発明の開示】
【発明が解決しようとする課題】
【０００５】
本願の発明は、従来の健康グッズが有する前記のような問題点を解決して、安価な陶磁器材料と金とを組み合わせ用いた健康グッズである金彩陶磁器メダルを提供すること、及び安価な陶磁器材料を使用しながら、一様に本焼きされた陶磁器片（メダル素材）の全面に金液を塗って一様に焼き付け、その表面の略１００％に金がコーティングされた金彩陶磁器メダルを得ることができる金彩陶磁器メダルの製造方法と、この製造方法に使用する特殊な治具とを提供することを課題とし、これらにより、金のマイナスイオン効果で健康増進、治療・治癒の促進を図ることを最終課題とするものである。
【課題を解決するための手段】
【０００６】
前記のような課題は、本願の各請求項に記載された次のような発明により解決される。  すなわち、その請求項１に記載された発明は、メダル形状の陶磁器片の略全面に、金がコーティングされていることを特徴とする健康増進用金彩陶磁器メダルである。
【０００７】
請求項１に記載された発明は、前記のように構成されているので、この金彩陶磁器メダルを宝飾品や装飾品として身体に装着したり、患部に当てがったりして用いると、陶磁器片（メダル素材）表面をすっぽり覆っている金のマイナスイオン効果により、メダルが身体に接触している部分及び該部分を介して繋がる身体の様々な部分に生じている様々な症状、例えば、腰痛、肩こり、関節痛、眼精疲労、耳鳴りや難聴、胃腸病、喘息、便秘、疲れや倦怠感、口臭等の改善、治療・治癒に著効を示し、しかも、即効性を発揮することができる。
【０００８】
しかも、このような金彩陶磁器メダルは、安価な陶磁器材料を用い、その表面を金でコーティングすることにより得られるので、従来の高価な金製品に比べて安価であり、軽量なので、身体に付けても違和感がなく、使い易い。さらに、素材が陶器であるので、金属さびが発生しないなど、種々の効果を発揮することができる。
【０００９】
また、その請求項２に記載された発明は、メダル形状の陶磁器片の一面に、金がコーティングされていることを特徴とする健康増進用金彩陶磁器メダルである。
【００１０】
請求項２に記載された発明は、前記のように構成されているので、請求項１に記載された発明が奏する前記のような様々な症状の改善、治療・治癒効果に比べると、程度において劣るが、矢張り、同種の効果を奏することができる。また、請求項１に記載された発明が奏する前記のような安価、軽量、身体に付けても違和感がない、使い易い、金属さびが発生しない等の効果を奏することができる。
【００１１】
また、その請求項３に記載された発明は、請求項１に記載の健康増進用金彩陶磁器メダルの製造方法であって、次の（１）〜（１１）の工程を順次実行することを特徴とする健康増進用金彩陶磁器メダルの製造方法である。
（１）粘土をこねて、伸ばして板状にして、メダル形状の陶磁器片を作る。
（２）前記陶磁器片を半乾燥させて、その陶磁器片の１個所に小孔を貫通形成する。
（３）前記陶磁器片を乾燥させて、サンドペーパーで磨く。
（４）前記陶磁器片を窯に入れて、素焼きする。
（５）素焼きした前記陶磁器片の前記小孔にろう引きする。
（６）前記陶磁器片の前記小孔を除く部分の全面に釉薬をかける。
（７）先が尖ったセラミック製の棒の先端部を前記小孔に通し、前記陶磁器片を前記棒の先端部に刺して支持させた状態で、前記棒をセラミック製の基台に立てて保持させる。
（８）前記基台を窯に入れて、前記陶磁器片を本焼きする。
（９）本焼きした前記陶磁器片を前記棒の先端部から外して、前記陶磁器片の前記小孔を除く部分の全面に金液を塗る。
（１０）前記陶磁器片を再び前記棒の先端部に刺して支持させた状態で、前記基台を窯に入れて、前記陶磁器片を低温（約７５０℃）で焼く。
（１１）焼き上がった前記陶磁器片を磨く。
【００１２】
請求項３に記載された発明は、前記のように構成されているので、特に工程（２）、（７）〜（１０）の採用により、陶磁器片（メダル素材）の全面に釉薬がかけられた陶磁器片の全面を一様に本焼きすることが可能になり、このようにして本焼きした陶磁器片の全面に金液を塗って一様に焼き上げることが可能になる。これにより、前記のような種々の効果を奏する請求項１に記載の健康増進用金彩陶磁器メダルを簡易に得ることが可能になる。
【００１３】
さらに、その請求項４に記載された発明は、請求項３に記載の健康増進用金彩陶磁器メダルの製造方法において、その棒が、両端側ともに先が尖って細長く形成されており、その基台が、該棒の先が尖った部分を抜き差し自在に受け入れることができる孔を有していることを特徴としている。
【００１４】
請求項４に記載された発明は、この構成により、棒の両端側ともに陶磁器片をその先端部に刺して支持することが可能になり、棒の一端側が折損等により使用できなくなっても、他端側を使用することができるので、陶磁器材料を節約することができる。また、棒の先端部に陶磁器片を刺して支持した該棒をセラミック製の基台に立てて抜き差し自在に保持させるための構造をきわめて簡単に得ることができる。
【００１５】
また、その請求項５に記載された発明は、メダル形状の陶磁器片の１個所に小孔が貫通形成された請求項１に記載の健康増進用金彩陶磁器メダルの製造方法に使用する治具であって、セラミック製の棒と、セラミック製の基台との組合せから成り、前記棒は、両端側ともに先が尖って細長く形成されており、前記基台は、前記棒の先が尖った部分を抜き差し自在に受け入れることができる孔を有し、前記棒の一端側の先端部を前記小孔に通し、前記陶磁器片を前記棒の一端側の先端部に刺して支持させた状態で、前記棒の他端側の先端部を前記基台の前記孔に差して前記棒を前記基台に保持させることができるようにされていることを特徴とする健康増進用金彩陶磁器メダルの製造方法に使用する治具である。
【００１６】
請求項５に記載された発明は、前記のように構成されているので、この治具の使用により、陶磁器片（メダル素材）の全面に釉薬がかけられた陶磁器片の全面を一様に本焼きすることが可能になり、このようにして本焼きした陶磁器片の全面に金液を塗って一様に焼き上げることが可能になる。これにより、前記のような種々の効果を奏する請求項１に記載の健康増進用金彩陶磁器メダルを簡易に得ることが可能になる。
さらに、この治具は、棒と基台との組合せというきわめて簡単な構造から成り、棒の両端側ともに陶磁器片をその先端部に刺して支持することが可能であり、棒の一端側が折損等により使用できなくなっても、他端側を使用することができるので、陶磁器材料を節約することができるという効果もある。
【００１７】
また、その請求項６に記載された発明は、請求項２に記載の健康増進用金彩陶磁器メダルの製造方法であって、次の（１）〜（１０）の工程を順次実行することを特徴とする健康増進用金彩陶磁器メダルの製造方法である。
（１）粘土をこねて、板状にして、メダル形状の陶磁器片を作る。
（２）前記陶磁器片を半乾燥させて、その陶磁器片の１個所に小孔を貫通形成する。
（３）前記陶磁器片を乾燥させて、サンドペーパーで磨く。
（４）前記陶磁器片を窯に入れて、素焼きする。
（５）素焼きした前記陶磁器片の片面にろう引きする。
（６）前記陶磁器片の残りの片面に釉薬をかける。
（７）前記陶磁器片を窯に入れて、本焼きする。
（８）本焼きした前記陶磁器片の前記残りの片面に金液を塗る。
（９）前記陶磁器片を再び窯に入れて、低温（約７５０℃）で焼く。
（１０）焼き上がった前記陶磁器片を磨く。
【００１８】
請求項６に記載された発明は、前記のように構成されているので、従来の窯業技術を利用しながら、前記のような種々の効果を奏する請求項２に記載の健康増進用金彩陶磁器メダルを簡易に得ることができる。
【発明の効果】
【００１９】
前記のとおり、本願の発明の健康増進用金彩陶磁器メダルによれば、その陶磁器片（メダル素材）の略全面に、金がコーティングされているので、これを宝飾品や装飾品として身体に装着したり、患部に当てがったりして用いると、陶磁器片表面をすっぽり覆っている金のマイナスイオン効果により、メダルが身体に接触している部分及び該部分を介して繋がる身体の様々な部分に生じている様々な症状、例えば、腰痛、肩こり、関節痛、眼精疲労、耳鳴りや難聴、胃腸病、喘息、便秘、疲れや倦怠感、口臭等の改善、治療・治癒に著効を示し、しかも、即効性を発揮することができる。
【００２０】
しかも、このような金彩陶磁器メダルは、安価な陶磁器材料を用い、その表面を金でコーティングすることにより得られるので、従来の高価な金製品に比べて安価であり、軽量なので、身体に付けても違和感がなく、使い易い。さらに、素材が陶器であるので、金属さびが発生しない。
【００２１】
また、その健康増進用金彩陶磁器メダルの製造方法によれば、陶磁器片の全面に釉薬がかけられた当該陶磁器片の全面を一様に本焼きすることが可能になり、このようにして本焼きした陶磁器片の全面に金液を塗って一様に焼き上げることが可能になる。これにより、前記のような種々の効果を奏する健康増進用金彩陶磁器メダルを簡易に得ることが可能になる。
【００２２】
また、その製造方法に使用する治具によれば、この治具の使用により、前記のような効果を奏する健康増進用金彩陶磁器メダルの製造方法が可能になるとともに、この治具は、棒と基台との組合せというきわめて簡単な構造から成り、棒の両端側ともに陶磁器片をその先端部に刺して支持することが可能であり、棒の一端側が折損等により使用できなくなっても、他端側を使用することができるので、陶磁器材料を節約することができるという効果もある。
その他、前記したような種々の効果を奏することができる。
【発明を実施するための最良の形態】
【００２３】
次の（１）〜（１１）の工程を順次実行することにより、メダル形状の陶磁器片（メダル素材）の略全面に金がコーティングされた健康増進用金彩陶磁器メダルを得る。
（１）粘土をこねて、伸ばして板状にして、メダル形状の陶磁器片を作る。
（２）前記陶磁器片を半乾燥させて、その陶磁器片の１個所に小孔を貫通形成する。
（３）前記陶磁器片を乾燥させて、サンドペーパーで磨く。
（４）前記陶磁器片を窯に入れて、素焼きする。
（５）素焼きした前記陶磁器片の前記小孔にろう引きする。
（６）前記陶磁器片の前記小孔を除く部分の全面に釉薬をかける。
（７）先が尖ったセラミック製の棒の先端部を前記小孔に通し、前記陶磁器片を前記棒の先端部に刺して支持させた状態で、前記棒をセラミック製の基台に立てて保持させる。
（８）前記基台を窯に入れて、前記陶磁器片を本焼きする。
（９）本焼きした前記陶磁器片を前記棒の先端部から外して、前記陶磁器片の前記小孔を除く部分の全面に金液を塗る。
（１０）前記陶磁器片を再び前記棒の先端部に刺して支持させた状態で、前記基台を窯に入れて、前記陶磁器片を低温（約７５０℃）で焼く。
（１１）焼き上がった前記陶磁器片を磨く。
【００２４】
棒と基台とは、前記健康増進用金彩陶磁器メダルの製造方法に使用する治具を構成するものとし、該棒は、両端側ともに先が尖って細長く形成されるものとし、該基台は、棒の先が尖った部分を抜き差し自在に受け入れることができる孔を有するものとし、棒の一端側の先端部を陶磁器片の小孔に通し、該陶磁器片を棒の一端側の先端部に刺して支持させた状態で、棒の他端側の先端部を基台の孔に差して棒を基台に保持させることができるようにする。
【実施例】
【００２５】
次に、本願の発明の一実施例（実施例１）について説明する。
図１は、本実施例１の健康増進用金彩陶磁器メダルを示し、（ａ）はその正面図、（ｂ）はその側面図、図２は、同金彩陶磁器メダルの大きさのみが異なる変形例を示す図１と同様の図、図３は、同金彩陶磁器メダルの大きさのみが異なる他の変形例を示す図１と同様の図、図４は、同金彩陶磁器メダルの形状が異なる変形例を示す図１と同様の図、図５は、同金彩陶磁器メダルの形状が異なる他の変形例を示す正面図、図６は、同金彩陶磁器メダルの製造に用いる陶磁器片（メダル素材）を窯に入れて焼く時に用いる治具と、この治具を用いて同陶磁器片を支持して窯に入れる状態にしたところとを示す斜視図、図７は、同金彩陶磁器メダルの製造方法の前半工程を示す図、図８は、同後半工程を示す図である。
【００２６】
本実施例１の健康増進用金彩陶磁器メダル（本明細書において、「金彩陶磁器メダル」や単に「メダル」と略称されることがある。）１は、図１〜図３に図示されるように、正面視円形状のものや、図４に図示されるように、正面視矩形状のもの、図５に図示されるように、球形状のものなど、各種の形状のものがあり得る。いずれの形状のものにおいても、宝飾品や装飾品等のペンダントとして、それらのメダル１に形成された小さい貫通孔２に金属製あるいは繊維製の鎖や紐を通して首にかけてネックレス風に用いたり、腕にかけてブレスレット風に用いたりすることができる。また、患部に直接貼り付けたり、接着バンド等を用いて患部に当てがったりして用いることができる。いずれの場合においても、身体の病状や症状を示す部位や患部に、メダルの略全面にコーティングされた金のマイナスイオン効果が及ぶようにして用いることが重要である。なお、これらの場合において、金彩陶磁器メダル１の１個のみならず、複数個を同時に連ねて使用することも自由であり、病状や症状の程度や場所に応じて、適宜使用形態を工夫して使用すれば良い。
【００２７】
本発明者は、金彩陶磁器メダル１が、図１〜図３に図示されるように、正面視円形状のものとして製作された場合に、その大きさを直径約２８ｍｍ（図１）、約２０ｍｍ（図２）、約１７ｍｍ（図３）とした３種類のメダルを用意し、これらを病状や症状の程度に応じ、また、適用部位に応じて適宜選択して、複数人に試用してみたところ、以下に述べるような効果を確認することができた。
【００２８】
・腰痛、肩こり、関節痛などは、金彩陶磁器メダル１を患部に当てがうことにより、痛みが止まるか和らぐなど、直ぐに症状の改善がみられる。
・眼精疲労は、金彩陶磁器メダル１を患部に当てがうことにより、痛みや重たい感じがなくなり、すっきりする。
・耳鳴りや難聴は、金彩陶磁器メダル１を首筋から頭部にかけて使用することにより、耳鳴りが小さくなり、聞こえ易くなる。
・胃腸病は、金彩陶磁器メダル１を腹部に当てがうことにより、痛みがなくなり、食欲も出てくる。
・喘息は、金彩陶磁器メダル１を胸部に当てがうことにより、咳き込む回数が減り、呼吸が楽になる。
・慢性鼻炎（軽度）による副鼻腔の不快感は、つまり感、もやもや感が解消する。
・便秘が治る。
・疲れや倦怠感が解消して、体が軽くなり、元気が出てくる。
・口臭が消える。
【００２９】
次に、以上のような種々の効果を裏付ける具体的な改善例を紹介する。
・仙骨（骨盤と背骨とのつなぎ目）を中心に強い痛みがあり、薬に頼らないと、痛みが軽くならなかったが、本実施例１の金彩陶磁器メダル１を痛いと思った部分に使用したところ、速効で痛みが和らぎ、全くなくなる場合もあった。
・筋肉をほぐすリハビリを続けているが、小１時間かけても、翌日位には筋肉がこわばってしまっていたところ、本実施例１の金彩陶磁器メダル１を装着すると、特にリハビリをしなくても、体の柔らかさを保つことができた。
・５年前からの突発性難眠の後遺症で、耳鳴りが常にし、頭全体がすっきりしなかったが、本実施例１の金彩陶磁器メダル１を首筋から頭部にかけて使用したところ、耳鳴りが小さくなり、頭も少しではあるが、すっきりした。継続的に使用することで、更なる改善が期待された。
・昔からの慢性鼻炎（軽度）による副鼻腔の不快感があったが、本実施例１の金彩陶磁器メダル１を使用している間からその後しばらくにかけて、つまり感、もやもや感が解消した。
・胃が弱く、夏でも冷たい食べ物が苦手で、直ぐに夏バテしていたが、本実施例１の金彩陶磁器メダル１を装着することにより、常に感じていただるさが軽くなり、夏バテしなくなった。また、冷たい食べ物が美味しくなり、エアコンが苦手でなくなった。
【００３０】
次に、本実施例１の金彩陶磁器メダル１の製造方法を、図７及び図８を参照しながら、詳細に説明する。なお、図８においては、図面下側の作業工程列（作業工程８〜１３）が、本実施例１の金彩陶磁器メダル１の製造方法に係わる。
【００３１】
先ず、市販されている粘土（陶器粘土又は磁器粘土）をこねて、伸ばして板状にして、型抜き１０でくり抜くか、または、手びねりで、メダル形状の陶磁器片（メダル素材）１１を作る（図７、作業工程１〜３）。次いで、陶磁器片１１を自然半乾燥させて、その１個所にポンス１３（直径約２ｍｍ）で小孔１２を貫通形成する（図７、作業工程４）。なお、この小孔１２は、完成品における小孔２に対応する部分である。次いで、陶磁器片１１を２日間位自然乾燥させて、サンドペーパーで磨く（図７、作業工程５、６）。次いで、陶磁器片１１を窯１４に入れて、素焼きする（図７、作業工程７）。
【００３２】
次いで、素焼きした陶磁器片１１を窯１４から取り出し、その小孔１２にろう引きする（図８、作業工程８）。次いで、陶磁器片１１を釉薬液に漬けて、その小孔１２を除く部分の全面に釉薬１５をかける（図８、作業工程９）。小孔１２にろう引きしているので、陶磁器片１１を釉薬液に漬けても、小孔１２の内周面に釉薬はかけられないことになる。
【００３３】
次いで、図６（ａ）、（ｂ）に図示されるように、両端側ともに先が尖って細長く形成されたセラミック製の棒３の一端側の先端部３ａを陶磁器片１１の小孔１２に通し、陶磁器片１１を棒３の先端部３ａに刺して支持させた状態で、棒３をセラミック製の基台４に立てて保持させる（図８、作業工程１０（拡大図示部参照））。基台４は、棒３の先が尖った部分を受け入れることができる孔５を有しているので、この孔５に、棒３の陶磁器片１１を支持しない側の先端部３ｂを差し込めば、基台４は、棒３を立てた状態で保持することが可能である。棒３は、両端側ともに先が尖って細長く形成されているので、一端側が折損等により使用できなくなっても、他端側を使用することができ、陶磁器材料を節約することができる。棒３と基台４とは、後述するように、陶磁器片１１を窯１４に入れて焼く時に用いる治具を構成する。なお、セラミック製の棒とは、高温で焼いた粘土の棒のことである。
【００３４】
次いで、基台４を、陶磁器片１１を支持した棒３を保持したまま、窯１４に入れて、陶磁器片１１を本焼きする（図８、作業工程１１）。この場合、通常の温度よりも若干低めの温度で焼くことで、釉薬の流れを防ぐことができる。次いで、基台４を窯１４から出して、本焼きした陶磁器片１１を棒３の先端部から外し、陶磁器片１１の略全面（小孔１２を除く部分の全面）に金液を塗る（図８、作業工程１２）。
【００３５】
次いで、陶磁器片１１を再び棒３の先端部３ａに刺して支持させ、棒３を基台４に立てて保持させた状態で、基台４を窯１４に入れて、陶磁器片１１を低温（約７５０℃）で焼く（図８、作業工程１３）。次いで、基台４を窯１４から出して、焼き上がった陶磁器片１１を磨く（図８、作業工程１４）。このようにして、図１〜図３に図示される、小孔２を備えた金彩陶磁器メダル１が完成する。
【００３６】
なお、図４、図５に図示される金彩陶磁器メダル１についても、前記した治具を用いて、前記した製造方法と同じ製造方法により、それらの金彩陶磁器メダル１を製造することができる。このように、その製造工程の中で、陶磁器片（メダル素材）１１の本焼き、金の焼付けに治具（セラミック製の棒３と基台４とから成る）を用いることにより、メダル表面の略１００％に金をコーティングする技術を初めて確立することができたものである。
【００３７】
本実施例１の金彩陶磁器メダル１及びその製造方法は、前記のように構成されているので、次のような効果を奏することができる。
陶磁器片（メダル素材）１１の略全面に、金がコーティングされているので、この金彩陶磁器メダル１を宝飾品や装飾品として身体に装着したり、患部に当てがったりして用いると、陶磁器片表面をすっぽり覆っている金のマイナスイオン効果により、メダル１が身体に接触している部分及び該部分を介して繋がる身体の様々な部分に生じている様々な病状や症状、例えば、腰痛、肩こり、関節痛、眼精疲労、耳鳴りや難聴、胃腸病、喘息、便秘、疲れや倦怠感、口臭等の改善、治療・治癒に著効を示し、しかも、即効性を発揮することができる。なお、このような著効を示す理由としては、金のマイナスイオン効果に加えて、陶磁器が発する遠赤外線効果も作用しているものと、発明者等は推論している。
【００３８】
しかも、このような金彩陶磁器メダル１は、安価な陶磁器材料を用い、その表面を金でコーティングすることにより得られるので、従来の高価な金製品に比べて安価であり、軽量なので、身体に付けても違和感がなく、使い易い。さらに、素材が陶器であるので、金属さびが発生しない。
【００３９】
また、その健康増進用金彩陶磁器メダル１の製造方法によれば、治具の採用により、陶磁器片１１の全面に釉薬がかけられた当該陶磁器片１１の全面を一様に本焼きすることが可能になり、このようにして本焼きした陶磁器片１１の全面に金液を塗って一様に焼き上げることが可能になる。これにより、前記のような種々の効果を奏する健康増進用金彩陶磁器メダル１を簡易に得ることができる。
【００４０】
また、その治具自体、棒３と基台４とから成り、棒３は、両端側ともに先が尖って細長く形成され、基台４は、棒３の先が尖った部分を抜き差し自在に受け入れることができる孔５を有しているので、棒３の両端側ともに陶磁器片１１をその先端部に刺して支持することが可能になり、棒の一端側が折損等により使用できなくなっても、他端側を使用することができるので、陶磁器材料を節約することができる。また、棒３の先端部に陶磁器片１１を刺して支持した該棒３を基台４に立てて抜き差し自在に保持させるための構造を、きわめて簡単に得ることができる。
【００４１】
次に、本願の発明の他の実施例（実施例２）について説明する。
図７及び図８は、本実施例２の健康増進用金彩陶磁器メダルの製造方法を示す図である。なお、図８においては、図面上側の作業工程列（作業工程８’〜１３’）が、本実施例２の金彩陶磁器メダルの製造方法に係わっている。
【００４２】
本実施例２の金彩陶磁器メダルは、実施例１の金彩陶磁器メダル１と比較すると、メダル形状の陶磁器片（メダル素材）１１’の片面に金がコーティングされておらず、残りの片面にのみ金がコーティングされている点で、その略全面に金がコーティングされている実施例１の金彩陶磁器メダル１と異なっている。この結果、陶磁器片１１’の片面を窯１４の載置台に接触させて該陶磁器片１１’を窯１４の載置台に置くことができることになるので、従来の窯業技術をそのまま利用して、陶磁器片１１’を窯１４に入れて本焼きしたり、本焼きした陶磁器片１１’に金液を塗って再び窯１４に入れて焼付けたりすることができることになり、実施例１の金彩陶磁器メダル１の製造方法で用いた治具を使用する必要がない。
【００４３】
これより、本実施例２の金彩陶磁器メダルの製造方法においては、実施例１の金彩陶磁器メダル１の製造方法における図８の作業工程８〜１３が、次のように変更されている。
すなわち、図７の作業工程７において、素焼きした陶磁器片１１を窯１４から取り出したら、その片面にろう引きして、陶磁器片１１’を得る（図８、作業工程８’）。次いで、陶磁器片１１’を釉薬液に漬けて、その残りの片面に釉薬１５’をかける（図８、作業工程９’）。片面にろう引きしているので、陶磁器片１１’を釉薬液に漬けても、その片面には釉薬はかけられないことになる。
【００４４】
次いで、陶磁器片１１’を窯１４に入れて、本焼きする（図８、作業工程１１’）。次いで、本焼きした陶磁器片１１’を窯１４から出して、その残りの片面に釉薬１５’の上から金液を塗る（図８、作業工程１２’）。次いで、陶磁器片１１’を再び窯１４に入れて、これを低温（約７５０℃）で焼く（図８、作業工程１３’）。
以下、焼き上がった陶磁器片１１’を窯１４から出して、磨いて仕上げるのは、実施例１の金彩陶磁器メダル１の製造方法と同じである（図８、作業工程１４）。
【００４５】
本実施例２の金彩陶磁器メダル及びその製造方法は、以上の点で実施例１の金彩陶磁器メダル１及びその製造方法と異なっているが、その他の点で特に異なるところはないので、詳細な説明を省略する。
【００４６】
本実施例２の金彩陶磁器メダル及びその製造方法は、前記のように構成されているので、実施例１の金彩陶磁器メダル１が奏する前記のような様々な病状、症状の改善、治療・治癒効果に比べると、程度において劣るが、従来の窯業技術を利用しながら、矢張り、同種の効果を奏することができる。また、実施例１の金彩陶磁器メダル１が奏する前記のような安価、軽量、身体に付けても違和感がない、使い易い、金属さびが発生しない等の効果を奏することができる。
【００４７】
なお、本願の発明は、以上の実施例に限定されず、その要旨を逸脱しない範囲において、種々の変形が可能である。
例えば、セラミック製の棒３と基台４とから成る治具は、メダル形状の陶磁器片（メダル素材）１１の１個所に小孔１２が貫通形成され、該陶磁器片１１の略全面に金がコーティングされて成る健康増進用金彩陶磁器メダル１の製造方法にのみ使用されるものとされたが、これに限定されず、広く、陶磁器片（メダル素材に限らない）及び該陶磁器片にコーティングがされたものの全面を一様に焼付けて仕上げることが求められる陶磁器の製造方法に一般的に使用されることが可能である。
【図面の簡単な説明】
【００４８】
【図１】本実施例１の健康増進用金彩陶磁器メダルを示し、（ａ）はその正面図、（ｂ）はその側面図である。
【図２】同金彩陶磁器メダルの大きさのみが異なる変形例を示す図１と同様の図である。
【図３】同金彩陶磁器メダルの大きさのみが異なる他の変形例を示す図１と同様の図である。
【図４】同金彩陶磁器メダルの形状が異なる変形例を示す図１と同様の図である。
【図５】同金彩陶磁器メダルの形状が異なる他の変形例を示す正面図である。
【図６】同金彩陶磁器メダルの製造に用いる陶磁器片（メダル素材）を窯に入れて焼く時に用いる治具と、この治具を用いて同陶磁器片を支持して窯に入れる状態にしたところとを示す斜視図である。
【図７】本実施例１及び２の健康増進用金彩陶磁器メダルの製造方法の前半工程を示す図である。
【図８】同じく後半工程を示す図である。
【符号の説明】
【００４９】
１…（健康増進用）金彩陶磁器メダル、２…小孔（貫通孔）、３…セラミック製棒、３ａ、３ｂ…先端部、４…セラミック製基台、５…孔、１０…型抜き、１１、１１’…陶磁器片（メダル素材）、１２…小孔、１３…ポンス、１４…窯、１５、１５’…釉薬。
【図１】
2008110109.tif 000003
【図２】
2008110109.tif 000004
【図３】
2008110109.tif 000005
【図４】
2008110109.tif 000006
【図５】
2008110109.tif 000007
【図６】
2008110109.tif 000008
【図７】
2008110109.tif 000009
【図８】
2008110109.tif 000010